(57)【要約】【課題】光源が点灯することでスイッチが操作状態であることを目視確認できると共に、構成が簡単であるスイッチ装置とする。【解決手段】スイッチ１を、主スイッチ部１ａと補助スイッチ部１ｂと操作部１ｃを備え、その操作部１ｃを操作することで主スイッチ部１ａと補助スイッチ部１ｂが接続状態となるものとし、前記主スイッチ部１ａが接続することで電動機器４に通電し、前記補助スイッチ部１ｂが接続することで光源２が点灯するようにし、この光源２が点灯することでスイッチ１が操作状態であることを目視確認できるように構成したスイッチ装置で、光源２の点灯によりスイッチが操作状態であることを目視確認でき、スイッチ１を主スイッチ部１ａと補助スイッチ部１ｂを有するものとすれば良く、構成が簡単である。【選択図】図１
2007109596.tif 000002
【特許請求の範囲】
【請求項１】
スイッチ１と光源２を備えたスイッチ装置であって、
前記スイッチ１は、主スイッチ部１ａと補助スイッチ部１ｂと操作部１ｃを有し、その操作部１ｃを操作することで主スイッチ部１ａと補助スイッチ部１ｂが同時に接続状態となるようにし、
前記主スイッチ部１ａが接続状態であると電動機器４に通電して駆動し、前記補助スイッチ１ｂが接続状態であると光源２が点灯するようにし、
前記光源２が点灯するとスイッチ１が接続状態であることを目視確認できるようにしたことを特徴とするスイッチ装置。
【請求項２】
スイッチ１の主スイッチ部１ａは、電源３と電動機器４を接続する主回路５を接続、分離し、
前記スイッチ１の補助スイッチ部１ｂは、前記電源３と光源２を接続する補助回路６を接続、分離し、
前記電源３を交流電源とすると共に、前記補助回路６に整流回路７を設けた請求項１記載のスイッチ装置。
【請求項３】
操作部１ｃを透光性とし、この操作部１ｃと対向して光源２を設け、その光源２によって操作部１ｃを照明することで、光源２が点灯することでスイッチ１が接続状態であることを目視確認できるようにした請求項１又は２記載のスイッチ装置。
【請求項４】
操作部１ｃと隣接して光源２を設け、この操作部１ｃと光源２を目視できるようにすることで、光源２が点灯することでスイッチ１が接続状態であることを目視できるようにした請求項１又は２記載のスイッチ装置。
【発明の詳細な説明】
【技術分野】
【０００１】
本発明は、スイッチと光源を備え、その光源が点灯することでスイッチが操作状態であることを目視確認できるようにしたスイッチ装置に関する。
【背景技術】
【０００２】
従来から、スイッチと光源を備え、その光源が点灯することでスイッチが操作状態であることを目視確認できるスイッチ装置が種々提案されている。
例えば、特許文献１に開示されたように、スイッチのボタンノブと対向して光源を設け、そのボタンノブを押してスイッチを操作すると、光源が点灯してボタンノブを照射し、そのボタンノブを目視することでスイッチが操作状態であることを確認できるスイッチ装置が知られている。
【０００３】
【特許文献１】特開２００３−１００１６６号公報
【発明の開示】
【発明が解決しようとする課題】
【０００４】
前述した従来のスイッチ装置においては、スイッチのボタンノブを押してスイッチを操作した時に、光源が点灯するようにすることになるが、その従来のスイッチ装置にあっては、その光源を点灯する具体的な手段が記載されておらず、前記スイッチの操作と同期して光源を点灯することは困難なことであって、このスイッチ装置を実用化する上でのネックになっている。
【０００５】
本発明の目的は、スイッチの操作と同期して光源が点灯すると共に、その光源の点灯によりスイッチが操作状態であることを目視確認でき、しかも構成が簡単であるスイッチ装置を提供することである。
【課題を解決するための手段】
【０００６】
第１の発明は、スイッチ１と光源２を備えたスイッチ装置であって、
前記スイッチ１は、主スイッチ部１ａと補助スイッチ部１ｂと操作部１ｃを有し、その操作部１ｃを操作することで主スイッチ部１ａと補助スイッチ部１ｂが同時に接続状態となるようにし、
前記主スイッチ部１ａが接続状態であると電動機器４に通電して駆動し、前記補助スイッチ１ｂが接続状態であると光源２が点灯するようにし、
前記光源２が点灯するとスイッチ１が接続状態であることを目視確認できるようにしたことを特徴とするスイッチ装置である。
【０００７】
第２の発明は、第１の発明において、スイッチ１の主スイッチ部１ａは、電源３と電動機器４を接続する主回路５を接続、分離し、
前記スイッチ１の補助スイッチ部１ｂは、前記電源３と光源２を接続する補助回路６を接続、分離し、
前記電源３を交流電源とすると共に、前記補助回路６に整流回路７を設けたスイッチ装置である。
【０００８】
第３の発明は、第１又は第２の発明において、操作部１ｃを透光性とし、この操作部１ｃと対向して光源２を設け、その光源２によって操作部１ｃを照明することで、光源２が点灯することでスイッチ１が接続状態であることを目視確認できるようにしたスイッチ装置である。
【０００９】
第４の発明は、第１又は第２の発明において、操作部１ｃと隣接して光源２を設け、この操作部１ｃと光源２を目視できるようにすることで、光源２が点灯することでスイッチ１が接続状態であることを目視できるようにしたスイッチ装置である。
【発明の効果】
【００１０】
請求項１に係る発明によれば、操作部１ｃを操作することで主スイッチ部１ａと補助スイッチ部１ｂが同時に接続状態となり、電動機器４が駆動すると同時に光源２が点灯する。
したがって、スイッチ１の操作と同期して光源２が点灯すると共に、その光源２の点灯によりスイッチが操作状態であることを目視確認できる。
また、スイッチ１を主スイッチ部１ａと補助スイッチ部１ｂを有するものとし、その主スイッチ部１ａで電動機器４に通電すると共に、補助スイッチ部１ｂで光源２に通電するようにしたから、構成が簡単である。
【００１１】
請求項２に係る発明によれば、交流電源を用いて電動機器４を駆動できると共に、光源２として発光ダイオードを用いることができる。
【００１２】
請求項３に係る発明によれば、操作部１ｃと光源２を対向して設けることができるから、その操作部１ｃと光源２を装置本体１０にそれぞれ設けてスイッチ装置全体をコンパクトにできる。
【００１３】
請求項４に係る発明によれば、光源２を直接目視するから、より一層はっきりとスイッチが操作状態であることを目視確認できる。
また、複数のスイッチが並設されている場合に、操作した操作部１ｃと隣接した光源２が点灯するので、操作したスイッチを誤りなく目視確認できる。
【発明を実施するための最良の形態】
【００１４】
図１に示すように、スイッチ１と光源２でスイッチ装置としてある。
前記スイッチ１は主スイッチ部１ａと補助スイッチ部１ｂと、この主スイッチ部１ａと補助スイッチ部１ｂを同時に接続、分離する操作部１ｃを備えている。
前記主スイッチ部１ａは、電源３と電動機器４を接続する主回路５に設けてあり、その主回路５を接続、分離する。
前記主スイッチ部１ａが接続すると電動機器４に通電され、分離すると通電されなくなる。
前記補助スイッチ部１ｂは、電源３と光源２を接続する補助回路６に設けてあり、その補助回路６を接続、分離する。
前記補助スイッチ部１ｂが接続すると光源２に通電され、分離すると通電されなくなる。
【００１５】
このようであるから、スイッチ１の操作部１ｃを操作して主スイッチ部１ａを接続して電動機器４を動作することで、そのスイッチ１の補助スイッチ部１ｂが同時に接続して光源２が点灯する。
この光源２の点灯によりスイッチ１が操作状態であることを目視確認することができる。
また、スイッチ１に主スイッチ部１ａと同時に接続、分離する補助スイッチ部１ｂを設け、この補助スイッチ部１ｂで光源２を点灯するので、構成が簡単である。
【００１６】
この実施の形態では、スイッチ１は３つ（１−１，１−２，１−３）設けてあると共に、その各スイッチに光源２（２−１，２−２，２−３）がそれぞれ接続してある。
そして、主回路５は３つ（５−１，５−２，５−３）あり、補助回路６も３つ（６−１，６−２，６−３）ある。
この実施の形態では各スイッチ１は押しボタンスイッチで、その操作部１ｃは押しボタンで、押しボタンを押すことで主スイッチ部１ａ、補助スイッチ部１ｂが接続する。
この実施の形態では電源３が交流電源（商用電源）で、電動機４が電動モータである。
そして、前述の第１スイッチ１−１が接続すると電動モータは高速駆動し、第２のスイッチ１−２が接続すると電動モータは中速駆動し、第３のスイッチ１−３が接続すると電動モータは低速駆動するようにしてある。
【００１７】
この実施の形態では光源２は発光ダイオード（ＬＥＤ）で、５ｍＡ〜１０ｍＡ程度の直流電流を光源２（ＬＥＤ）に流すことになるから、前記補助回路６には整流回路７が設けてある。
前記整流回路７は、図２（ａ）に示すようにダイオード７ａと抵抗７ｃを用いたものでも良いし、図２（ｂ）に示すようにコンデンサ７ｂと抵抗７ｃを用いたものでも良く、図２（ｃ）に示すようにダイオード７ａとコンデンサ７ｂと抵抗７ｃを用いたものでも良い。
【００１８】
前記光源２が点灯することでスイッチ１が操作状態であることを目視確認できるようにするために、この実施の形態では図３に示すように、装置本体１０に操作部１ｃと光源２を対向して設け、その操作部１ｃを釦１１とシャフト１２を有した押しボタンとすると共に、そのシャフト１２、釦１１は透光性を有するもので、光源２が点灯すると、この光源２の光がシャフト１２を通して釦１１を照明するようにしてある。
これによって、光源２が点灯すると釦１１が明るくなるので、目視することでスイッチ１が操作状態であることを確認できる。
【００１９】
図３においては、前述の主スイッチ部１ａ、補助スイッチ部１ｂが図示していないが、釦１１を押し込むことでシャフト１２を光源２に接近、好ましくは隙間なく接近した時に主スイッチ部１ａ、補助スイッチ部１ｂが同時に接続するようにしてある。
このようにすることで、光源２の光が効率良くシャフト１２を通して釦１１を照明することができる。
【００２０】
図３においては、装置本体１０はスイッチ本体１３と光源本体１４に分割され、そのスイッチ本体１３にはシャフトガイド部１５が両端面１３ａ，１３ｂに開口されて形成してある。
このシャフトガイド部１５にシャフト１２が摺動自在に支承され、釦１１はスイッチ本体１３の他端面１３ｂから突出している。
前記光源本体１４には光源２が一端面１４ａと面一に設けてあり、この光源本体１４の一端面１４ａをスイッチ本体１３の一端面１３ａに接して連結することで光源２がシャフト１２と対向する。
【００２１】
次に、前述のスイッチ装置をレンジフードの操作装置に用いた例を図４に基づいて説明する。
レンジフード２０のフード本体２１の前面板２２の裏面に装置本体１０が取付けてある。
この装置本体１０には前述の第１・第２・第３のスイッチ１−１，１−２，１−３と停止スイッチ２３と照明スイッチ２４が設けてある。
前記第１・第２・第３のスイッチ１−１，１−２，１−３は、そのいずれか１つのスイッチの操作部１ｃを押すことで主スイッチ部１ａ、補助スイッチ部１ｂが接続状態に保持され、他のスイッチの操作部１ｃを押すことで分離状態となる。また、停止スイッチ２３の押ボタンを押すことで接続状態の主スイッチ部１ａ、補助スイッチ部１ｂが分離状態となる。つまり、この停止スイッチ２３は電動モータを停止すると共に、光源２を消灯するものである。
前記照明スイッチ２４はレンジフード２０の図示しないランプを点灯するもので、電動モータの駆動、停止とは関係ない。
【００２２】
前述のようにした場合には、第１・第２・第３のスイッチ１−１，１−２，１−３を接続状態とすることで電動モータが高速、中速、低速駆動してレンジフードが強運転、中運転、弱運転する。
また、操作部１ｃの釦１１が光源２によって照明されるので、レンジフードが強、中、弱運転していることを、目視で確認できる。
なお、操作部１ｃの釦１１に強、中、弱の文字を付すことで、レンジフードの運転状態が目視で確認し易くなる。
【００２３】
前記光源２が点灯することでスイッチ１が操作状態であることを目視確認できるようにするには、前述のように操作部１ｃを透光性とし、その操作部１ｃと対向して光源２を設けることに限ることはなく、スイッチ１の近くに光源２を設け、この光源２とスイッチ１の補助スイッチ部１ｂをコードなどで接続しても良い。
【００２４】
例えば、図５、図６に示すようにレンジフード２０のフード本体２１の前面板２２の裏面に装置本体１０を取付け、その操作部１ｃ（釦１１）を前面板２２の孔２５から表側に突出する。この構成は、前述の図４でも同様である。
前記前面板２２の裏面に光源２を、装置本体１０の上方位置として取付け、その光源２を前面板２２の孔２６から表側に突出し、各スイッチの操作部１ｃ（釦１１）の上方位置に光源２がそれぞれ隣接して位置するようにする。前記光源２とスイッチの補助スイッチ部１ｂを接続する。例えばコード２７で接続する。
このようにすれば、第１・第２・第３スイッチ１−１，１−２，１−３のいずれか１つの操作部１ｃを操作することで、その操作部１ｃの上方に位置する光源２が点灯するから、その光源２を目視することでスイッチが操作状態であることを確認できる。
【００２５】
前述の実施の形態では、交流電源を用いると共に、光源２として発光ダイオードを用いているので、補助回路６に整流回路７を設けたが、直流電源を用いることで整流回路７を設けないようにできる。
また、光源２としては発光ダイオードに限ることはなく、豆ランプと呼ばれる通常の電球を用いることもできる。
【図面の簡単な説明】
【００２６】
【図１】本発明の実施の形態を示す電動機器の駆動回路図である。
【図２】整流回路の説明図である。
【図３】スイッチ装置の具体形状を示す断面図である。
【図４】本発明のスイッチ装置をレンジフードに用いた例を示す正面図である。
【図５】本発明の第２の実施の形態を示すレンジフードに用いた例を示す正面図である。
【図６】図５のＡ−Ａ断面図である。
【符号の説明】
【００２７】
１…スイッチ、１ａ…主スイッチ部、１ｂ…補助スイッチ部、１ｃ…操作部、２…光源、３…電源、４…電動機器、５…主回路、６…補助回路、７…整流回路、１０…装置本体、１１…釦、１２…シャフト、２０…レンジフード、２１…フード本体、２２…前面板。
【図１】
2007109596.tif 000003
【図２】
2007109596.tif 000004
【図３】
2007109596.tif 000005
【図４】
2007109596.tif 000006
【図５】
2007109596.tif 000007
【図６】
2007109596.tif 000008